(57)【要約】【課題】  引張部にかけたプレストレスの減少を補うことを目的として、アンカー頭部に弾性体を組み込む構造では、現場における弾性部材の組み込みやこれの防錆処理だけでなく、アンカー頭部の緊張作業に伴う弾性部材の圧縮及び引張ストロークの増加など、現場での作業性が著しく低下する。【解決手段】  グラウンドアンカー工において、アンカー頭部の定着部を構成する装置であって、中央にテンドンを挿通させる挿通部を有し該挿通部の周囲に弾性体を収容する収容部材と、該収容部材との間で該弾性体によるバネ効果を発生させるカバー部材とによって構成し、該弾性体を圧縮した状態で該収容部材と該カバー部材を固定する固定部を設ける。【選択図】        図２
2006112064.tif 000002
【特許請求の範囲】
【請求項１】
グラウンドアンカー工において、アンカー頭部の定着部を構成する装置であって、中央にテンドンを挿通させる挿通部を有し該挿通部の周囲に弾性体を収容する収容部材と、該収容部材との間で該弾性体によるバネ効果を発生させるカバー部材とによって構成し、該弾性体を圧縮した状態で該収容部材と該カバー部材を固定する固定部を設けたことを特徴とするアンカーヘッド。
【請求項２】
固定部による固定位置は、収容部材とカバー部材が軸方向に接当する位置に設けた請求項１記載のアンカーヘッド。
【請求項３】
カバー部材は、テンドン端部に係合固定させる係合部を、内面中央部に設けた請求項１又は２記載のアンカーヘッド。
【請求項４】
カバー部材と収容部材のいずれかに、これらの弾性体による付勢方向の移動を検知するスイッチを設けた請求項１、２又は３記載のアンカーヘッド。
【請求項５】
グラウンドアンカー工において、アンカー頭部を緊張・定着させた定着部を構成する方法であって、中央にテンドンを挿通させる挿通部を有し該挿通部の周囲に弾性体を収容する収容部材と、該収容部材との間で該弾性体によるバネ効果を発生させるカバー部材とによって構成したアンカーヘッドを、該収容部材と該カバー部材を固定して該弾性体を圧縮した状態で、アンカー頭部に取り付けた後、該収容部材と該カバー部材との固定を解除することを特徴とする定着部構成方法。
【請求項６】
アンカー頭部を緊張・定着させた状態で、収容部材とカバー部材との固定を解除したとき、これらが相互に軸方向に移動しない位置に固定部を設けた請求項５記載の定着部構成方法。
【発明の詳細な説明】
【技術分野】
【０００１】
本発明は、グラウンドアンカー工における定着部を構成する方法及びアンカー頭部に取り付けるアンカーヘッドに関するものである。
【背景技術】
【０００２】
グラウンドアンカー工は、不安定な地盤や岩盤を直接安定な地盤や岩盤に緊結して崩落・剥落を防止するために用いられる工法であり、基盤内にボーリングで削孔しセメントモルタル等を注入してアンカー体を形成する方法で、次の３つの基本的要素からなる。
「アンカー頭部」：構造物からの力を引張り部に無理なく引張り力として伝達させるための部分。
「引張り部」：引張り力を基盤内のアンカー体へ伝達する部分。
「アンカー体」：引張り部からの引張り力を基盤に伝達し抵抗する部分。
【０００３】
グラウンドアンカー工の主な特徴は、引張り部にプレストレスをかけることにより、滑落の危険のある斜面を押さえ付けて安定化させる締め付け機能。引張り部の引張強さを利用して地滑り土塊が滑動しようとするのを引き止めるものであるが、杭工と異なり引張り部に対して初期にある程度のプレストレスをかけることで、引張り部の伸び（地滑りによる変形量）の少ない段階で抑止効果が上げられる初期引き止め機能がある。この他、アンカー体を滑り面を挟んで形成し、引張り部の引張強さによる滑り面の強度を高める縫い合わせ機能がある。
【０００４】
このようなグラウンドアンカー工においては、定期点検による維持管理が必須の要件であり、再緊張することでその効果を維持していく必要がある。例えば、受圧板の変形や地盤沈下などによって、地盤変動を抑止する締め付け効果や引き止め効果が、アンカー体に対して充分発揮されない危険な状態に至ってしまう。このことから、例えば特許文献１に開示されているように、定着部に弾性部材を配設することにより、アンカー体の緊張力の経時的減少を補うようにした定着部構造がある。
【特許文献１】特開平１１−０４３９４１号
【発明の開示】
【発明が解決しようとする課題】
【０００５】
しかしながら、従来の定着部構造においては、単にアンカー頭部の定着部に弾性部材を配設する構造に過ぎず、現場での定着部を構築する作業性が著しく低下する問題がある。例えば、現場における弾性部材の組み込みやこれの防錆処理だけでなく、アンカー頭部の緊張作業に伴う弾性部材の圧縮及び引張ストロークの増加などがある。また、これに付随して大型油圧ジャッキの導入が必要になる場合がある。
【課題を解決するための手段】
【０００６】
そこで本発明者は上記問題に鑑み鋭意研究の結果、本発明を成し得たものであり、その特徴とするところは、グラウンドアンカー工において、アンカー頭部の定着部を構成する装置であって、中央にテンドンを挿通させる挿通部を有し該挿通部の周囲に弾性体を収容する収容部材と、該収容部材との間で該弾性体によるバネ効果を発生させるカバー部材とによって構成し、該弾性体を圧縮した状態で該収容部材と該カバー部材を固定する固定部を設けたこと。
【０００７】
或いは、グラウンドアンカー工において、アンカー頭部を緊張・定着させた定着部を構成する方法であって、中央にテンドンを挿通させる挿通部を有し該挿通部の周囲に弾性体を収容する収容部材と、該収容部材との間で該弾性体によるバネ効果を発生させるカバー部材とによって構成したアンカーヘッドを、該収容部材と該カバー部材を固定して該弾性体を圧縮した状態で、アンカー頭部に取り付けた後、該収容部材と該カバー部材との固定を解除することにある。
【０００８】
ここで、本明細書中でいう「定着部」とは、地表から安定基盤に至る深さまで削孔して形成したアンカー体に連結し、引張り部にプレストレスをかけた状態に維持することを目的として地表部に構築した構造体をいう。通常、地表部に受圧板や支圧板などを設け、アンカー体に連結した引張材（テンドン）の頭部を油圧ジャッキで緊張させ、ナットなどの定着具で固定する。
【０００９】
「収容部材」とは、中央にテンドンを挿通させる挿通部を有し、その周囲に弾性体を収納する部材をいう。本発明においては、この収容部材にカバー部材を被せることにより、該収容部材と該カバー部材との間に弾性体によるバネ効果を発生させる構造とする。弾性体としては、コイルバネ、皿バネ、ガスクッション、ウレタンなどの硬質ゴムなどである。これらの弾性体は、収容部材の挿通部に嵌め込んだり、その周囲に複数配して収容させる。収容部材やカバー部材は、ステンレスやアルミニウムなどの金属の他、プラスチックやＦＲＰなどの複合材料などで形成する。
【００１０】
本発明に係るアンカーヘッドは、テンドンに挿通させたり、テンドンの頂部に取り付けることにより、弾性体で引張材にかけたプレストレスの保持や減少を補う。テンドンに挿通させる場合は、カバー部材にも挿通部を設ける。テンドンの頂部に取り付ける場合は、アンカー頭部を緊張・定着させた後に取り付けることも可能であり、カバー部材の内面中央部にテンドン端部に係合させる係合部を設けたり、挿通部を設けてナットなどで固定する。また、ナットなどの定着具にボルトで固定することも可能である。
【００１１】
本発明においては、弾性体を圧縮した状態でカバー部材と収容部材を固定する固定部を設ける。これらを固定した状態でアンカー頭部に取り付けてから、該固定部による固定を解除する。つまり、工場出荷時に固定しておき、現場で取り付けた後で解除する。固定部としては、ピンやボルトの挿通、フックによる掛合などである。固定部による固定は、固定を解除したときに収容部材とカバー部材が相互に軸方向に移動しない位置に設けるのが好ましい。これは、弾性体を圧縮した状態でカバー部材と収容部材が相互に軸方向に接当する構造とし、これらが接当する位置に固定部を設けること。そして、固定解除時に収容部材とカバー部材が開かないように両者を規制するように取り付けることにより達成できる。これによって、固定解除が容易になる他、急激な弾性体の復元力による各部の損傷や危険を防止することができる。また、この位置に固定部を設けて固定することにより、カバー部材と収容部材が一体となって剛体を構成し、アンカー頭部に取り付けてから緊張させる場合にも効果的となる。
【００１２】
本発明に係るに係るアンカーヘッドは、アンカー頭部に取り付けることにより、弾性体でアンカー機能を維持させる構造であるが、弾性体が変位したこと、或いは弾性体が破損して機能しなくなったことを検知するセンサなどのスイッチを設けるのが好ましい。特に、弾性体の許容変位内で変位したことを検知することにより、アンカー機能を急激に低下させることなく事前に修理・修復させることが可能となる。検知したことを表示する手段としては、警告灯の点灯、音声、発信器による送信などである。
【発明の効果】
【００１３】
本発明に係るアンカーヘッドは、弾性体を圧縮した状態で固定する固定部を設けた収容部材とカバー部材とによって構成したことにより、グラウンドアンカー工におけるアンカー機能を長期に渡って維持できるだけでなく、現場での弾性体を圧縮する作業が不要となることや、取り扱いも容易となるなど施工性を著しく高めることが可能となった。
【００１４】
特に、アンカー頭部を緊張・定着させた状態で、カバー部材と収容部材との固定を解除したとき、これらが相互に軸方向に移動しない位置で固定することにより、緊張・定着作業が容易となる他、固定解除も簡単に行うことができる。このため、緊張・定着後においてアンカー頭部をカバーするアンカーキャップとして既存のアンカー頭部に装着できるなど実用上極めて有益な効果を有するものである。
【発明を実施するための最良の形態】
【００１５】
中央にテンドンを挿通させる挿通部を有し周囲に弾性体収容する収容部材と、該収容部材に被せ該収容部材との間で該弾性体によるバネ効果を発生させるカバー部材とによって構成し、該弾性体を縮めた状態で該カバー部材と該収容部材を固定する固定部を設ける。
【実施例１】
【００１６】
図１は、本発明に係るアンカーヘッド１の一実施例を示すもので、複数のコイルバネＳを収容させる収容部材２と、該収容部材２に被せるカバー部材３とによって構成し、該コイルバネＳを縮めた状態で該カバー部材３と収容部材２を固定する固定部４を設けた構造である。収容部材２は、中央にテンドン５に挿通させる挿通部２１を有し、その周囲に複数のコイルバネＳ（本例では１２個）を収容する。収容部には、スプリングガイド２２を立設して各コイルバネＳを保持させている。コイルバネＳが移動しないように保持させる手段としては、カバー部材３と収容部材２の少なくともいずれかに陥凹部を設けて嵌め込むようにしてもよい。
【００１７】
カバー部材３と収容部材２は、図２のようにコイルバネＳを圧縮した状態で固定部４で固定する。本例では、固定ネジ４１を収容部材２の周囲４ヶ所に螺合させることによって固定している。これらを固定した状態は、収容部材２の上端部がカバー部材３の内側天面に接当する。本例のアンカーヘッド１は、アンカー頭部に取り付けて定着部を保護するアンカーキャップとして使用する目的から、カバー部材３の内面中央部にテンドン端部（マンション）に螺合させるネジ孔２３を設けている。また、内部への水の侵入を防止することを目的として、収容部材２の周面にＯリングを設けている。
【実施例２】
【００１８】
このアンカーキャップはアンカー頭部を緊張・定着させた後に取り付ける。グラウンドアンカー工は、例えば図３（ａ）のように安定基盤に形成したアンカー体７と、地表に構築した定着部との間にプレストレスをかけることにより、不安定層を安定化させる構造である。本発明に係るアンカーヘッド１は、同図（ｂ）のようにアンカー頭部のマンションにネジ孔２３を螺合させて装着する。装着後にカバー部材３と収容部材２を固定している固定ネジ４１を外して完了する。固定ネジ４１を外す固定解除作業は、収容部材２の底部が支圧板６に接当していることから、圧縮して収納したコイルバネＳによる影響が全くなく、極めて容易に行うことができる。固定ネジ４１を外した後は、その開口部に防水用コーキング材を充填しておくのが好ましい。
【実施例３】
【００１９】
図４は、本発明に係るアンカーヘッド１の他の実施例を示すもので、アンカー頭部に取り付けてから緊張させる構造である。アンカーヘッド１は、収容部材２の上端部をカバー部材３の内側天面に接当させて固定しているため、一つの部材として取り扱いも容易となる。これをテンドン５に挿通して、従来と同様の方法で緊張・定着させればよく、その後固定ネジ４１を取り外して装着が完了する。
【実施例４】
【００２０】
図５（ａ）は、本発明に係るアンカーヘッド１のさらに他の実施例を示すもので、警報装置付きアンカーキャップ８を取り付けた構造である。この警報装置付きアンカーキャップ８は、テンドン５に設けたスイッチ８１を支圧板６に接当させることにより、これが離反した時点で警告灯８２を点灯させる装置で、バッテリや太陽電池などを電源として作動する。弾性体を内蔵したアンカーヘッド１によりアンカー機能を長期に渡って維持できるが、警報装置付きアンカーキャップ８を設けることで、地盤沈下などが生じたことを視覚による情報として捉えることができ、維持管理機能を高めることができる。本例では、スイッチ８１を支圧板６に接当させているが、収容部材２に接当させてもよい。
【００２１】
同図（ｂ）は、スイッチ８１をカバー部材３に内蔵した構造であり、収容部材２に設けた作動部８３で作動させるようにしている。このようにすれば、弾性体の種類、大きさ、数に応じて作動位置を調整することも可能となる。作動位置の調整は、作動部８３やスイッチ８１の取り付け位置で調整する。作動部８３としてはＯリングを利用してもよい。本例では、スイッチ８１をカバー部材３の周囲に４ヶ所設けて検知できるようにしている。ただ、カバー部材３と収容部材２（若しくは支圧板６）の相対的な移動の検知では、弾性体の破損や不能を検知できないため、同図（ａ）の位置やカバー部材３の天面に接当させるスイッチ８１を併設してもよい。
【実施例５】
【００２２】
図６（ａ）は、本発明に係るアンカーヘッド１のさらに他の実施例で、弾性体としてウレタンゴム９を利用したものである。このウレタンゴム９はリング状であり、収容部材２の挿通部２１に嵌め込むようにして設けている。また、同図（ｂ）は皿バネ１０を挿通部２１に嵌め込むように２つ重ねて設けている。
【図面の簡単な説明】
【００２３】
【図１】本発明に係るアンカーヘッドの一実施例を示す断面図である。（実施例１）
【図２】図１に示したアンカーヘッドを固定部で固定した状態を示す断面図である。
【図３】（ａ）はグラウンドアンカー工により施工したアンカー構造の一実施例を示す概略断面図である。（ｂ）は（ａ）のアンカー頭部に本発明に係るに係るアンカーヘッドを取り付けた状態を示す概略断面図である。（実施例２）
【図４】本発明に係るアンカーヘッドの他の実施例を示す断面図である。（実施例３）
【図５】（ａ）（ｂ）はそれぞれ本発明に係るアンカーヘッドのさらに他の実施例を示す断面図である。（実施例４）
【図６】（ａ）（ｂ）はそれぞれ本発明に係るアンカーヘッドのさらに他の実施例を示す断面図である。（実施例５）
【符号の説明】
【００２４】
Ｓ  コイルバネ
１  アンカーヘッド
２  収容部材
２１  挿通部
２２  スプリングガイド
２３  ネジ孔
３  カバー部材
４  固定部
４１  固定ネジ
５  テンドン
６  支圧板
７  アンカー体
８  警報装置付きアンカーキャップ
８１  スイッチ
８２  警告灯
８３  作動部
９  ウレタンゴム
１０  皿バネ
【図１】
2006112064.tif 000003
【図２】
2006112064.tif 000004
【図３】
2006112064.tif 000005
【図４】
2006112064.tif 000006
【図５】
2006112064.tif 000007
【図６】
2006112064.tif 000008